(57)【要約】      （修正有）【課題】時間や場所を選ばずに、ぐずり出した赤ちゃんに胎内音を聞かせるのに適した携帯用プレーヤーを提供する。【解決手段】ぐずり、寝ぐずり、夜泣きの原因の一つである精神的な興奮や不安を緩和するため胎児期に聞いていた胎内音をＩＣチップに録音し、ＩＣ制御回路、スピーカー、ボリュームスイッチ３ａ，３ｂ，３ｃ、タイマースイッチ２ａ，２ｂ，２ｃ、ピロースピーカー出力端子４、乾電池、空気孔５ａ、スポンジ等の柔軟素材で成形した耳当て部１１から構成され、携帯できる大きさと赤ちゃんの使用に相応しい丸みを帯びた安全な形状、女性が片手で持ち片手で操作出来る使いやすい形状とする。【選択図】図１
2005196092.tif 000002
【特許請求の範囲】
【請求項１】
妊婦の心臓の鼓動を含む血流音等の胎内音（以下胎内音と言う）をＩＣチップに予め録音し、乳幼児から幼児期（以下赤ちゃんと言う）にみられる、ぐずり、寝ぐずり、夜泣きを起こしたときに前記録音した胎内音を赤ちゃんの耳もとで再生して聞かせることにより安心感を与え精神的興奮や不安を緩和し、ぐずりを治める効果を目的とした赤ちゃん用携帯胎内音再生プレーヤーである。
【請求項２】
妊婦の胎内音の他に胎内音に類似した音、例えばテレビやラジオのザーというノイズ、電気掃除機の作動中に発するノイズ等や胎内で聞いた外部音、例えば自動車車内音、妊婦の声、妊婦が良く聞いてた音楽などをＩＣチップに予め録音したことを特徴とする請求項１に記載の赤ちゃん用携帯胎内音再生プレーヤー。
【請求項３】
赤ちゃんの耳もとで胎内音を聞かせる事を目的としている為、赤ちゃんの耳元にフィットするようにスポンジ等の柔軟性のある耳当てを設け、また鼓膜に空気圧をかけないように本体に空気孔を設けた請求項１に記載の赤ちゃん用携帯胎内音再生プレーヤー。
【請求項４】
赤ちゃんの耳もとで胎内音を聞かせる事を目的としている為、大きな音で刺激やストレスをあたえないように再生音量の上限を制限し、また使用状況に応じて任意の音量の大きさを選べるようにした請求項１に記載の赤ちゃん用携帯胎内音再生プレーヤー。
【請求項５】
再生時間はタイマースイッチを設け、使用状況に応じて任意の再生時間を選べるようにした請求項１に記載の赤ちゃん用携帯胎内音再生プレーヤー。
【請求項６】
人形やクッション等の内部に内装した請求項１に記載の赤ちゃん用携帯胎内音再生プレーヤー。
【請求項７】
赤ちゃん用の枕にスピーカーを内装したピロースピーカーに接続するための出力端子を設けた請求項１に記載の赤ちゃん用携帯胎内音再生プレーヤー。
【発明の詳細な説明】
【技術分野】
【０００１】  本発明は赤ちゃん用携帯胎内音再生プレーヤーに関する。
【背景技術】
【０００２】  従来の携帯用プレーヤーにはＣＤプレーヤー、ＭＤプレーヤー、カセットプレーヤー（以下携帯用プレーヤーと言う）、他にＩＣレコーダー等数多くあるが、いずれも子供から大人を対象に開発されているため、多機能であり操作も複雑になっているものが多くみられ、ある程度操作に慣れが必要である。また製造、販売メーカーも機種も数多く存在している。【非特許文献１】「ソニー  ＩＣレコーダー製品ラインアップ、（ｈｔｔｐ：／／ｗｗｗ．ｓｏｎｙ．ｊｐ／ｐｒｏｄｕｃｔｓ／ｉｃ−ｒｅｃｏｒｄｅｒ／ｌｉｎｅｕｐ／ｉｎｄｅｘ．ｈｔｍｌ）」より。
【０００３】  他に再生専用のボイスカードなどもある。【特許文献１】特開平１１−２５４８６４
【０００４】  胎内音を含む音楽を赤ちゃんに聞かせる物としては他に乳幼児音響装置がある。【特許文献１】特開平９−１９１９８４
【発明の開示】
【発明が解決しようとする課題】
【０００５】  以上に述べた従来の携帯用プレーヤーやＩＣレコーダーは
【請求項１】
に記載の本目的に必要のない機能が多く操作も複雑となり高価格である。
【０００６】  また従来の携帯用プレーヤーやＩＣレコーダーの再生には小さな内蔵スピーカーで聞くため外部音が入り聞きづらく、また音量を上げれば音質が劣りさらに音漏れのため周囲の迷惑となる。
【０００７】  付属のイヤホンやヘッドホンは、ぐずりだした赤ちゃんの耳に装着するのは困難であり、また赤ちゃんの使用を想定していないためサイズが大きく特にイヤホンは装着できない、さらに該プレーヤーや該レコーダー本体との接続コードは首にからまる可能性があるなど危険である。
【０００８】
【０００３】に記載の再生専用ボイスカードはその名称の通りカードサイズで薄くコンパクトな形状のため持ち運びには便利だが耐久性と音質、音量が劣り、電源もボタン電池を使用しているため再生時間が短い。
【０００９】
【０００４】に記載の乳幼児音響装置は赤ちゃんがベッドで寝ている状態での使用を前提として考えられており、音の再生にはＣＤプレーヤーを使用しスピーカーとベッドマットの振動（ボディソニック）にて胎内音を含む音楽を赤ちゃんに聞かせるものであり、普段の外出時に手軽に携帯し場所を選ばず使用できる物では無い。
【００１０】  このように前記携帯用プレーヤーやＩＣレコーダーを始め、耳当て部、適正な音量調整、使用方法の簡素化、安全な形状、大きさなど赤ちゃんへの使用に適した携帯用プレーヤーやＩＣレコーダーがなかった、本案はその欠点を解決しようとするものである。
【課題を解決するための手段】
【００１１】  特に新生児期の赤ちゃんは「本能」で生きているのでまだ昼夜の区別がないため独自のリズムで、眠ったり起きたり泣いたりおっぱいを欲しがったり排せつすると言われています、そのためぐずり、寝ぐずり、夜泣きの原因の特定は難しいが、主な原因として考えられているのは、育児に携わる夫婦の昼夜の生活リズムの問題、眠りを妨げる騒音等の問題、気温、空腹、排せつによるおむつの汚れ、運動や日光浴の不足、環境の変化、過保護や日中のかまいすぎなどからくる興奮の継続、放任など母親とのスキンシップの不足からくる不安や不満、夫婦喧嘩やイライラを感じとるなどの精神的な問題も大きな原因と考えられてる。
【００１２】  本発明は胎児期に聞いていた胎内音を聞かせることにより赤ちゃんに安心感を与え、ぐずり、寝ぐずり、夜泣きの原因の一つである精神的な興奮や不安を緩和しようとするものである。
【００１３】  本発明は上記目的を達成するために予め胎内音を収録しＩＣチップに録音、ＩＣ制御回路、スピーカー、ボリュームスイッチ、タイマースイッチ、外部出力端子、乾電池、空気孔、スポンジ等の柔軟素材で成形した耳当て部から構成される。
【００１４】  形状は安全のため全体的に角のない丸みを帯び、事故につながる可能性のあるコード類を使用せず、女性が片手で持ち片手で操作出来る大きさと使いやすい形状として問題点を解決している。
【考案の効果】
【００１５】  上述の様に、何処にでも携帯できて赤ちゃんがぐずり出した時に、赤ちゃんの耳もとで胎児期に聞いていた胎内音を再生して聞かせることにより、安心感を与え不安や興奮状態にある精神状態を緩和しぐずりを治める効果がある。
【発明を実施するための最良の形態】
【００１６】  以下、本発明の実施の形態を図１〜図９に基づいて説明する。【００１７】  １は本体、２ａタイマースイッチ（連続）、２ｂタイマースイッチ（３０分）、２ｃタイマースイッチ（１５分）、３ａボリュームスイッチ（音量大）、３ｂボリュームスイッチ（音量中）、３ｃボリュームスイッチ（音量小）、４ピロースピーカー出力端子、５ａ空気孔、５ｂ空気孔、５ｃ空気孔、６ＩＣ制御回路、７スピーカー、８スピーカー保護ネット、９ａ乾電池、９ｂ乾電池、１０乾電池交換蓋、１１耳当て部から構成され、女性が片手で持ち片手で操作出来る大きさと使いやすい形状とした。
【図面の簡単な説明】
【００１８】
【図１】本発明の実施形態を示す赤ちゃん用携帯胎内音再生プレーヤーを斜上から見た外観図である。
【図２】本発明の実施形態を示す正面図である。
【図３】本発明の実施形態を示す側面図である。
【図４】同図３のＡ−Ａの断面図である。
【図５】本発明の実施形態を示す上面図である。
【図６】同図５のＢ−Ｂの断面図
【図７】本発明の実施形態を示す底面図である。
【図８】本発明の実施形態を示す図６の断面図と赤ちゃんの耳にあてた図である。
【図９】本発明の実施形態を示す赤ちゃんの耳にあてた使用例の図である。
【符号の説明】
１    本体  ２ａ  タイマースイッチ  ２ｂ  タイマースイッチ  ２ｃ  タイマースイッチ  ３ａ  ボリュームスイッチ  ３ｂ  ボリュームスイッチ  ３ｃ  ボリュームスイッチ  ４    ピロースピーカー出力端子  ５ａ  空気孔  ５ｂ  空気孔  ５ｃ  空気孔  ６    ＩＣ制御回路  ７    スピーカー  ８    スピーカー保護ネット  ９ａ  乾電池  ９ｂ  乾電池１０    乾電池蓋１１    耳当て部１２    赤ちゃん１３    赤ちゃんの耳１４    本体を持つ手
【図１】
2005196092.tif 000003
【図２】
2005196092.tif 000004
【図３】
2005196092.tif 000005
【図４】
2005196092.tif 000006
【図５】
2005196092.tif 000007
【図６】
2005196092.tif 000008
【図７】
2005196092.tif 000009
【図８】
2005196092.tif 000010
【図９】
2005196092.tif 000011